(57)【要約】【課題】配置具によって保持されるウェットティシュ容器が確実に配置具に保持され収容されているウェットティシュ片を利用者が引き出し易い配置具付きウェットティシュ容器等を提供すること。【解決手段】ウェットティシュ容器１０は、その側面側及び底面側に、それぞれ配置具と係合可能な容器側係合側面部１６及び容器側係合底面部１７とが形成され、配置具２０は、ウェットティシュ容器を着脱可能に保持するための容器保持部２１と、容器保持部を所定位置に配置固定するための配置固定部３１と、を有し、容器保持部は、ウェットティシュ容器の底面側を載置する載置部２２と、載置部から起立するように形成されると共に、少なくとも、互いに対向するように形成される壁面部２３と、を有し、壁面部には、容器側係合側面部と係合するための配置具側係合側面部２３ａが形成され、載置部には、容器側係合底面部と係合するための係合突出部２２ａが形成されている。【選択図】図２
2008094422.tif 000002
【特許請求の範囲】
【請求項１】
複数のウェットティシュ片を収容したウェットティシュ容器と、
前記ウェットティシュ容器を保持するために配置具と、を有する配置具付きウェットティシュ容器であって、
前記ウェットティシュ容器は、その側面側及び底面側に、それぞれ前記配置具と係合可能な容器側係合側面部及び容器側係合底面部とが形成され、
前記配置具は、前記ウェットティシュ容器を着脱可能に保持するための容器保持部と、
前記容器保持部を所定位置に配置固定するための配置固定部と、を有し、
前記容器保持部は、前記ウェットティシュ容器の底面側を載置する載置部と、
前記載置部から起立するように形成されると共に、少なくとも、互いに対向するように形成される壁面部と、を有し、
前記壁面部には、前記容器側係合側面部と係合するための配置具側係合側面部が形成され、
前記載置部には、前記容器側係合底面部と係合するための係合突出部が形成され、
前記配置具側係合側面部及び／又は前記係合突出部が、対応する前記容器側係合側面部及び／又は前記容器側係合底面部と、それぞれ係合又は係合解除できるように、前記壁面部及び前記載置部が可撓性を有する構成となっていることを特徴とする配置具付きウェットティシュ容器。
【請求項２】
前記係合突出部が前記容器側係合底面部と係合することで、前記ウェットティシュ容器の周縁部が前記係合突出部と前記壁面部とによって挟持される構成となっていることを特徴とする請求項１に記載の配置具付きウェットティシュ容器。
【請求項３】
前記容器保持部は、前記配置固定部に対して直交する方向に延伸するように配置されると共に、前記配置固定部を設置した際に、前記容器保持部の前記載置部が上方に臨むように配置され、
少なくとも前記ウェットティシュ容器の長手方向の両端部側に相当にする前記容器保持部の部分に、それぞれ前記配置具側係合側面部と前記係合突出部が形成されていることを特徴とする請求項１又は請求項２に記載の配置具付きウェットティシュ容器。
【請求項４】
前記容器保持部は、前記配置固定部である配置固定具に対して直交方向に沿って着脱可能な構成とされた容器保持具として形成されており、
前記配置固定具には、挿入孔が形成され、
前記容器保持具には、前記挿入孔に挿通可能な挿通部が形成され、
前記挿通部はＬ字状に成っていることを特徴とする請求項１乃至請求項３のいずれかに記載の配置具付きウェットティシュ容器。
【請求項５】
前記配置固定部には、物品を保持可能な物品保持部が形成されていることを特徴とする請求項１乃至請求項４のいずれかに記載の配置具付きウェットティシュ容器。
【請求項６】
複数のウェットティシュ片を収容したウェットティシュ容器を保持するためのウェットティシュ容器配置具であって、
前記ウェットティシュ容器には、その側面側及び底面側に、それぞれ前記配置具と係合可能な容器側係合側面部及び容器側係合底面部とが形成され、
前記ウェットティシュ配置具は、前記ウェットティシュ容器を着脱可能に保持するための容器保持部と、
前記容器保持部を所定位置に配置固定するための配置固定部と、を有し、
前記容器保持部は、前記ウェットティシュ容器の底面側を載置する載置部と、
前記載置部から起立するように形成されると共に、少なくとも、互いに対向するように形成される壁面部と、を有し、
前記壁面部には、前記容器側係合側面部と係合するための配置具側係合側面部が形成され、
前記載置部には、前記容器側係合底面部と係合するための係合突出部が形成されていることを特徴とするウェットティシュ容器配置具。
【発明の詳細な説明】
【技術分野】
【０００１】
本発明は、ウェットティシュ容器を特定箇所等に配置するため配置具付きウェットティシュ容器及びウェットティシュ容器配置具に関するものである。
【背景技術】
【０００２】
手等を拭くために薬剤等が含浸されているウェットティシュは、そのままでは濡れているため、これらをウェットティシュ容器内に収容して封止した状態で保管等する必要がある。そして、このようなウェットティシュ容器は、そのウェットティシュを使用する場所に置かれるのが常である。
しかし、このウェットティシュ容器を例えば、狭いトイレ内等で使用する場合は、その配置場所がなく、ウェットティシュを使い難いという問題があった。
【０００３】
そこで、従来から、ウェットティシュ容器を保持する容器用ホルダを設け、この容器用ホルダを介して、ウェットティシュ容器をトイレットペーパー用ホルダ上に装着する構成が提案されている（例えば、特許文献１、特許文献２及び特許文献３）。
【特許文献１】特開２００１−１４５５８３号公報（図５等）
【特許文献２】特開２００５−１１０９２５号公報（図２等）
【特許文献３】実公平８−５９６７号公報（図１８等）
【発明の開示】
【発明が解決しようとする課題】
【０００４】
しかし、特許文献１では、同文献の図２に示すように、ウェットティシュ収納用容器１０は、取付ホルダ１のＬ字状部材３、４によって両側から固定される構成となっているため、Ｌ字状部材３、４が形成されていない方向に対してはウェットティシュ収納用容器１０が移動し易い構成となっている。
一方、このようなウェットティシュ収納用容器１０からウェットティシュを引き出すとき、使用者は、便座に着座した状態等で引き出すため、ウェットティシュ収納用容器の図３の取出口２４から真上にそのまま引き出すことはなく、斜めに角度を成して引き出すことになる。このように引き出すとウェットティシュと取出口２４の縁が接触して、ウェットティシュ収納用容器１０が使用者の位置する方向に動こうとする力が加わり、特許文献１ではＬ字状部材３、４が形成されていない方向にウェットティシュ収容用容器１０が動き、所謂「ガタツキ」が生じる。
これでは、ウェットティシュは取出口２４の縁等により引っ掛かり易くなり、使用者がウェットティシュを取り出し難くなるという問題が生じていた。
また、特にトイレ等で使用するウェットティシュは、トイレの詰まり防止のため、水圧によって開繊し、分散・崩壊する不織布等を使用した水解性ウェットティシュが用いられている。このような、水解性ウェットティシュは、使用者がウェットティシュ収容用容器の取出口から取り出すときに、取出口の縁等に接触すると切れやすいという特徴があり、同容器に「ガタツキ」が生じると、さらに、ウェットティシュが切れやすくなり、このため、使用者が使い難いという問題が生じていた。
【０００５】
このような問題は、特許文献２及び特許文献３でも同様に生じていた。つまり、特許文献２では、その公報の図１に示すように、ウェットペーパー収容容器１０がプレート１００に対して前後方向に移動可能な構成となっているため、ウェットペーパー収容容器１０がプレート１００に対して前後方向に「ガタツキ」が生じるという問題が生じる。
また、特許文献３では、その公報の図１６及び図１８に示すように、収納容器１０がトイレットペーパー保持具に対して上下方向に移動可能な構成となっているため、収納容器１０は、トイレットペーパー保持具に対して上下方向に「ガタツキ」が生じるという問題が生じていた。
【０００６】
そこで、本発明は、配置具によって保持されるウェットティシュ容器が確実に配置具に保持され、収容されているウェットティシュ片を利用者が引き出し易い配置具付きウェットティシュ容器及びウェットティシュ容器配置具を提供することを目的とする。
【課題を解決するための手段】
【０００７】
前記課題は、請求項１の発明によれば、複数のウェットティシュ片を収容したウェットティシュ容器と、前記ウェットティシュ容器を保持するために配置具と、を有する配置具付きウェットティシュ容器であって、前記ウェットティシュ容器は、その側面側及び底面側に、それぞれ前記配置具と係合可能な容器側係合側面部及び容器側係合底面部とが形成され、前記配置具は、前記ウェットティシュ容器を着脱可能に保持するための容器保持部と、前記容器保持部を所定位置に配置固定するための配置固定部と、を有し、前記容器保持部は、前記ウェットティシュ容器の底面側を載置する載置部と、前記載置部から起立するように形成されると共に、少なくとも、互いに対向するように形成される壁面部と、を有し、前記壁面部には、前記容器側係合側面部と係合するための配置具側係合側面部が形成され、前記載置部には、前記容器側係合底面部と係合するための係合突出部が形成され、前記配置具側係合側面部及び／又は前記係合突出部が、対応する前記容器側係合側面部及び／又は前記容器側係合底面部と、それぞれ係合又は係合解除できるように、前記壁面部及び前記載置部が可撓性を有する構成となっていることを特徴とする配置具付きウェットティシュ容器により達成される。
【０００８】
前記構成によれば、容器保持部は、ウェットティシュ容器の底面側を載置する載置部を有している。このため、容器保持部は載置部によってウェットティシュ容器を保持することができる。
また、容器保持部は、載置部から起立するように形成されると共に、少なくとも、互いに対向するように形成される壁面部も有している。このため、載置部に載置されたウェットティシュ容器は、その側面が対向する壁面部で保持されるため、安定的に保持されることになる。
また、この壁面部には、ウェットティシュ容器の容器側係合側面部と係合するための配置具側係合側面部が形成され、載置部には、ウェットティシュ容器の容器側係合底面部と係合するための係合突出部が形成されている。このため、載置部に載置されたウェットティシュ容器は、側面及び底面で容器保持部と係合されるので、より安定的に保持され、「ガタツキ」等が生じない構成となっている。  
したがって、配置具によって保持されるウェットティシュ容器が確実に配置具に保持され、収容されているウェットティシュ片を利用者が引き出し易くなる。
また、配置具側係合側面部及び／又は係合突出部が、対応する容器側係合側面部及び／又は容器側係合底面部と、それぞれ係合又は係合解除できるように、壁面部及び載置部が可撓性を有する構成となっているので、利用者は壁面部等を撓ますだけで、容易にウェットティシュ容器を配置具に着脱させることができる。
【０００９】
好ましくは、請求項２の発明によれば、請求項１の構成において、前記係合突出部が前記容器側係合底面部と係合することで、前記ウェットティシュ容器の周縁部が前記係合突出部と前記壁面部とによって挟持される構成となっていることを特徴とする。
【００１０】
前記構成によれば、係合突出部が容器側係合底面部と係合することで、ウェットティシュ容器の周縁部が係合突出部と壁面部とによって挟持される構成となっているので、容器保持具によって保持されているウェットティシュ容器がより確実に保持され、さらに「ガタツキ」が生じ難い構成となっている。
【００１１】
好ましくは、請求項３の発明によれば、請求項１又は請求項２に構成において、前記容器保持部は、前記配置固定部に対して直交する方向に延伸するように配置されると共に、前記配置固定部を設置した際に、前記容器保持部の前記載置部が上方に臨むように配置され、少なくとも前記ウェットティシュ容器の長手方向の両端部側に相当にする前記容器保持部の部分に、それぞれ前記配置具側係合側面部と前記係合突出部が形成されていることを特徴とする。
【００１２】
前記構成によれば、容器保持部は、配置固定部に対して直交する方向に延伸するように配置されると共に、配置固定具を設置した際に、容器保持部の載置部が上方に臨むように配置されているので、載置部に保持されたウェットティシュ容器の取出口等も上向きとなり、利用者にとってウェットティシュ片を取り出しやすい構成となっている。
また、少なくともウェットティシュ容器の長手方向の両端部側に相当にする容器保持部の部分に、それぞれ配置具側係合側面部と係合突出部が形成されている。このため、ウェットティシュ容器の長手方向の両端部側で、ウェットティシュ容器は容器保持部と係合されるので、ウェットティシュ容器の容器保持部に対する「ガタツキ」を効果的に抑えることができる。
【００１３】
好ましくは、請求項４の発明によれば、請求項１乃至請求項３のいずれか構成において、前記容器保持部は、前記配置固定部である配置固定具に対して直交方向に沿って着脱可能な構成とされた容器保持具として形成されており、前記配置固定具には、挿入孔が形成され、前記容器保持具には、前記挿入孔に挿通可能な挿通部が形成され、前記挿通部はＬ字状に成っていることを特徴とする。
【００１４】
前記構成によれば、容器保持部と配置固定部にそれぞれ対応した容器保持具と配置固定具は、直交方向に沿って着脱可能な構成となっている。このため、容器保持部と配置固定具とは、利用者が容易に取り外したり、装着したりすることができる構成となっている。
このように、容器保持具と配置固定具とは、着脱可能な構成となっているため、装着状態では、両者が相対的に動く、所謂「ガタツキ」が生じ易くなる。
そこで、本発明では、以下のような構成を備えている。つまり、配置固定具には、挿入孔が形成され、容器保持具には、挿入孔に挿通可能な挿通部が形成され、挿通部はＬ字状に成っている。このように、容器保持具と配置固定具との接続部分である挿通部をＬ字状として、挿入孔に配置することで、容器保持具と配置固定具との間で「ガタツキ」が生じづらい構成となっている。
【００１５】
好ましくは、請求項５の発明によれば、請求項１乃至請求項４のいずれかの構成において、前記配置固定部には、物品を保持可能な物品保持部が形成されていることを特徴とする。
【００１６】
前記構成によれば、配置固定部には、物品を保持可能な物品保持部が形成されているので、例えば、乳幼児等のトイレトレーニング等に使用する物品等のウェットティシュに関連して使用する物品を一緒に配置することができる。
【００１７】
前記課題は、請求項６に発明によれば、複数のウェットティシュ片を収容したウェットティシュ容器を保持するためのウェットティシュ容器配置具であって、前記ウェットティシュ容器には、その側面側及び底面側に、それぞれ前記配置具と係合可能な容器側係合側面部及び容器側係合底面部とが形成され、前記ウェットティシュ配置具は、前記ウェットティシュ容器を着脱可能に保持するための容器保持部と、前記容器保持部を所定位置に配置固定するための配置固定部と、を有し、前記容器保持部は、前記ウェットティシュ容器の底面側を載置する載置部と、前記載置部から起立するように形成されると共に、少なくとも、互いに対向するように形成される壁面部と、を有し、前記壁面部には、前記容器側係合側面部と係合するための配置具側係合側面部が形成され、前記載置部には、前記容器側係合底面部と係合するための係合突出部が形成されていることを特徴とするウェットティシュ容器配置具により達成される。
【発明の効果】
【００１８】
本発明は、配置具によって保持されるウェットティシュ容器が確実に配置具に保持され、収容されているウェットティシュ片を利用者が引き出し易い配置具付きウェットティシュ容器及びウェットティシュ容器配置具を提供することができるという利点がある。
【発明を実施するための最良の形態】
【００１９】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００２０】
（第１の実施の形態）
図１は、本発明である配置具付きウェットティシュ容器の第１の実施の形態である例えば取付部材付きウェットティシュ容器１が、トイレットペーパーホルダ２に装着されている状態を示す概略斜視図である。
図１に示すように、取付部材付きウェットティシュ容器１は、ロール状のトイレットペーパーを保持するトイレットペーパーホルダ２上に装着して使用される。
このように、取付部材付きウェットティシュ容器１が、トイレットペーパーホルダ２上に配置することで、狭いトイレ空間であっても、ウェットティシュ容器１０を配置することが可能となっている。また、このようにウェットティシュ容器１０を配置することで、その内部に収容されている薬剤等が含浸されたウェットティシュ片を使用者が使い易くなっている。
【００２１】
また、図２は、図１の取付部材付きウェットティシュ容器１の概略分解斜視図である。図２に示すように、ウェットティシュ容器１０は、その内部にウェットティシュ包装袋１１を収容可能な構成となっている。また、このウェットティシュ包装袋１１内には、薬剤等を含浸させた多数のウェットティシュ片１１ａが、その各端部が部分的に重ねられて、連続して取り出し易い所謂ポップアップ状に折り畳まれた状態で収納されている。
そして、ウェットティシュ容器１０は、図２の上側にウェットティシュ片１１ａの取出口１２が設けられ、この取出口１２を露出状態又は閉状態にするための開閉蓋１３が形成され、下側にはウェットティシュ包装袋１１を出し入れするための出入蓋１９が設けられて、出し入れするための開口を開閉可能な構成とされている。
なお、本実施の形態では、出入蓋１９がウェットティシュ容器１０の下側に配置される構成となっているが、これに限らず、ウェットティシュ容器の下側内にウェットティシュ包装袋１１を収容し、ウェットティシュ容器の上側を、開閉蓋１３を設けた出入蓋１９で覆う構成としても良い。
【００２２】
ところで、本実施の形態では、図１及び図２に示すようにウェットティシュ容器１０の前面に楕円形のシール貼付部が形成されている。このシール貼付部は、図２のウェットティシュ包装袋１１の開口を覆うシール１１ｂを剥がし、シール貼付部としてウェットティシュ容器１０の前面にシール１１ｂを貼り付けることで形成される。
つまり、このシールの表面には、図柄等が表されている。この図柄の一例を示したのが図３である。図３では、例えば動物園の図柄が記載され、複数の動物が示されている。
すなわち、利用者は、ウェットティシュ包装袋１１をウェットティシュ容器１０内に収容する際、シール１１ｂを剥がすが、この剥がされたシール１１ｂをウェットティシュ容器１０の前面に貼付することでシール貼付部となる。
また、本実施の形態では、ウェットティシュ包装袋１１ｂには、別体で図１及び図２に示すように、個別シール台紙１５が付いている。
この個別シール台紙１５には、図３の動物、例えば、パンダ、ライオン等のシールがそれぞれ設けられ、動物毎に分離して剥がすことができるいわば動物シールとなっている。
したがって、利用者は、この個別シール台紙１５の例えば、パンダのシールを剥がして、図３のシール１１ｂのパンダの上に貼付することができる構成となっている。
【００２３】
本実施の形態の取付部材付きウェットティシュ容器１０は、乳幼児等がトイレトレーニングをする際に好適な構成とするため、このようなシール１１ｂ、シール貼付部及び個別シール台紙１５を有している。
つまり、乳幼児等がおむつでなく、トイレで大人のように排泄することができたときは、例えば、図３のシール１１ｂの動物の１つにシールを貼り、次回、排泄できたときは、違う動物にシールを貼る等とし、最後は全ての動物上にシールを貼るという目標を乳幼児に与える構成となっている。このような目標を乳幼児に与えることで、楽しみながらスムーズなトイレトレーニングを促す構成となっている。
【００２４】
ところで、ウェットティシュ容器１０は、その内部にウェットティシュ包装袋１１を収容し、出入蓋１９をセットして図１に示すようにすると、図１及び図３に示すように、ウェットティシュ容器１０の側面に出入蓋１９の上端側に凹部が形成される構成となっている。これが、容器側面凹部１６であり、容器側係合側面部の一例となっている。
また、図２には、取付部材付きウェットティシュ容器１０の取付部材２０が開示されている。この取付部材２０は、ウェットティシュ容器１０を保持するための配置具の一例となっている。
ところで、図４は、取付部材付きウェットティシュ容器１の流通状態を示す概略図であるが、ウェットティシュ容器１０の出入蓋１９の裏面側には、ウェットティシュ容器１０の周縁に沿って凹部である、容器底面凹部１７が複数形成され、それぞれは、リブ１７ａで区切られている。この容器底面凹部１７は、容器側係合底面部の一例となっている。なお、溝状に容器底面凹部１７を形成してリブ１７ａで区切るのではなく、容器底面凹部１７を後述する突出部１７の形状に対応した凹部として構成してもよい。
【００２５】
図２に示すように、取付部材２０は、ウェットティシュ容器１０を保持するための容器保持部２１と、この容器保持部２１を、所定位置、本実施の形態では、例えばトイレットペーパーホルダ２上に配置固定するための配置固定部３１を有している。
先ず、容器保持部２１について説明する。容器保持部２１は、図２に示すように、ウェットティシュ容器１０の底面側を載置する載置部２２を有している。
したがって、この載置部２２にウェットティシュ容器１０を置くことで、容器保持部２１がウェットティシュ容器１０の下側（出入蓋１９側）を保持できる構成となっている。
また、図２に示すように、容器保持部２１は、載置部２２の外縁から図２の上方に立ち上がり、壁のように形成される壁面部２３を有している。
この壁面部２３は、図２に示すように、載置部２２に沿って形成されているため、少なくとも、その一部が互いに対向するように、ここでは長手方向に沿って配置されている。
したがって、載置部２２にウェットティシュ容器１０が載置されると、ウェットティシュ容器１０の側面が図１に示すように壁面部２３によって挟まれるよう保持されるため、ウェットティシュ容器１０が、容器保持部２１により安定的に保持されることとなる。
【００２６】
また、この壁面部２３の一部には、例えば、その上部に内側に向かって突出している壁面凸部２３ａが例えば、２箇所形成されている。これら２箇所の壁面凸部２３ａ、２３ａは、図２に示すように、ウェットティシュ容器１０の長手方向（図２の左右方向）の両端部側に、それぞれ形成されている。すなわち、壁面凸部２３ａは、配置具側係合側面部の一例である。
このように壁面部２３に形成される２箇所の壁面凸部２３ａ、２３ａは、ウェットティシュ容器１０が載置部２１に載置されると図１に示すように、ウェットティシュ容器１０の容器側面凹部１６と係合する構成となっており、載置部２１と壁面凸部２３ａとで出入蓋１９を挟む構成とされている。
すなわち、図３で示すように、両側の壁面凸部２３ａ、２３ａが、容器側面凹部１６と係合して、取出口１２が形成された上下方向を中心に、確実にウェットティシュ容器１０を保持する構成となっている。
【００２７】
また、載置部２２には、図２に示すように、突出部２２ａが例えば４個形成されている。特に、この突出部２２ａは、壁面部２３に形成された壁面凸部２３ａに対応して形成されており、特にウェットティシュ容器１０の長手方向（図２の左右方向）の両端部側に、それぞれ形成されている。つまり、突出部２２ａは、係合突出部の一例となっている。
この突起状とされた突出部２２ａは、ウェットティシュ容器１０が載置部２２に載置されたときに、図４のウェットティシュ容器１０の底面側の容器底面凹部１７に入り込んで係合する構成となっており、特に斜め方向に引かれた際に移動を規制している。
【００２８】
図５は、ウェットティシュ容器１０と取付部材２０との係合状態を示す概略図である。図５に示すように、載置部２２の突出部２２ａは、ウェットティシュ容器１０の容器底面凹部１７内に係合される構成となっている。
このように、ウェットティシュ容器１０の長手方向両端に設けられた容器保持部２１上に載置されたウェットティシュ容器１０は、載置部２２上に配置され、壁面部２３で、その側面を保持され、そして、壁面凸部２３ａ及び突出部２２ａによって、容器保持部２１と係合させられる。このため、ウェットティシュ容器１０は、容器保持部２１に安定的に保持され、所謂「ガタツキ」が生じない構成となっている。
すなわち、本実施の形態では、容器保持部２１に形成された壁面凸部２３ａと突出部２２ａによって、ウェットティシュ容器１０を底面側及び側面側より係合固定する構成となっているので、容器保持部２１が、取り出す際の上方向や、手前や横から引かれた際の斜め方向に対して、より確実にウェットティシュ容器１０を保持する構成となっている。
特に、これら壁面凸部２３ａと突出部２２ａは、ウェットティシュ容器１０の長手方向の両端部に形成されているので、中央部に形成されている場合よりもさらに、強固に保持できるので、「ガタツキ」の発生をより確実に抑える構成となっている。しかも、壁面凸部２３ａの下側の領域に突出部２２ａが形成されているため、各係合部が近接して配置されることになり、確実に保持する構成となっている。
【００２９】
そして、本実施の形態では、載置部２２の中央部にも２個の突出部２２ａが形成されているので、これらは、両端部の突出部２２ａと共に、手前方向に引かれた場合等、さらに確実にウェットティシュ容器１０の「ガタツキ」を抑える働きをする構成となっている。
【００３０】
また、図３に示す全体が略Ｕ字状の容器保持部２１は、変形可能な可撓性のある樹脂製となっている。このため、容器保持部２１にウェットティシュ容器１０を配置し、容器保持部２１の壁面凸部２３ａを、ウェットティシュ容器１０の容器側面凹部１６と係合させ、または係合を解除させるには、利用者が容器保持部２１を図２の矢印Ｒ方向に撓ませることで、容易に着脱が可能な構成となっている。
特に、ここでは長手方向両端側に容器側面凹部１６と壁面凸部２３ａを形成しているため、壁面部２３や載置部２２が延びる両端に位置することで撓み易く、結果的に着脱し易い構成とされている。
【００３１】
また、図５に示すように、本実施の形態では、ウェットティシュ容器１０を容器保持部２１に載置させ、容器保持部２１の突出部２２ａをウェットティシュ容器１０の容器底面凹部１７内に係合させると、ウェットティシュ容器１０の底面側の周縁部１８が容器底面凹部１７に挿入された突出部２２ａと壁面部２３とで挟持される構成となっている。
したがって、上述の構成に加え、ウェットティシュ容器１０の周縁部１８を挟持することで、より確実に容器保持部２１がウェットティシュ容器１０を保持し、「ガタツキ」を未然に防ぐ構成となっている。
このため、図１のようにトイレットペーパーホルダ２上に、取付部材付きウェットティシュ容器１０を設置し、利用者が便座に座った状態や、幼児の保護者が不自然な姿勢で、ウェットティシュ片１１ａを取出口１２から斜めに引き抜こうとして、無理な力がウェットティシュ容器１０に加わってもウェットティシュ容器１０は「ガタツキ」が生じないため、ウェットティシュ片１１ａをスムーズに引き抜くことができる。
特に、ウェットティシュ片１１ａが、便器の水圧で開繊する水解性ウェットティシュの場合は、ウェットティシュ容器１０の僅かな「ガタツキ」でも容易に切れてしまうという問題が従来はあった。しかし、本実施の形態では、ウェットティシュ容器１０の「ガタツキ」を相当程度、抑えることができるため、水解性ウェットティシュを収容しているウェットティシュ容器１０であっても、ウェットティシュ片１１ａを引き抜くときに、切れにくく、使用者にとって使い易い取付部材付きウェットティシュ容器１０となっている。
【００３２】
次に、図２や図５に示す配置固定部３１及び配置固定部３１と容器保持部２１との関係等について説明する。先ず、図２に示すように、別部材の配置固定具とされた配置固定部３１には、貫通孔である挿入孔３２が形成されている。
一方、別部材の容器保持具とされた容器保持部２１には、図２に示すように、その側面形状が略Ｌ字状の挿通部２４が形成されている。この挿通部２４の上方向に延びる先端側が背面部２４ａで、横方向に延びる基端側が基端部２４ｂと成っている。つまり、基端部２４ｂと背面部２４ａは略９０度折り曲がった形状となっており、これによって全体として略Ｌ字状となっている。
この容器保持部２１の挿通部２４を、配置固定部３１の挿入孔３２内に挿入し、両者を接続した状態が示されているのが、図５である。図５に示すように、挿通部２４を挿入孔３２に挿入すると、挿通部２４の背面部２４ａが配置固定部３１の背面側に沿って位置する。そして、背面部２４ａに連接する基端部２４ｂが、配置固定部３１の挿入孔３２内に位置する。
したがって、容器保持部２１は、配置固定部３１に対して直交するように垂直に配置されることになる。つまり、容器保持部２１は、配置固定部３１に対して直交する方向に延伸するように配置されていることになる。
そして、その結果、図５等に示すように容器保持部２１の載置部２２が上方を臨み、上方を向いて配置される構成ともなっている。
【００３３】
したがって、取付部材付きウェットティシュ容器１０を、図１に示すようにトイレットペーパーホルダ２に設置したとき、ウェットティシュ容器１０の取出口１２が上を向くので利用者にとってウェットティシュ片１１ａを引き出し易い構成となっている。
【００３４】
また、容器保持部２１と配置固定部３１とは、挿通部２４を挿入孔３２内に挿入し、又は取り出すことで、着脱可能な構成となっている。つまり、容器保持部２１と配置固定部３１に対して直交するように配置されているので、この方向に沿って着脱可能の構成となっている。
このように両者を着脱可能な構成とすると、従来は、この接続部分に「ガタツキ」が生じ、ウェットティシュ容器１０の「ガタツキ」という事態が生じていた。この点、本実施の形態では、図２及び図５に示すように、挿通部２４が略Ｌ字状となり、この挿通部２４を配置固定部３１の挿入孔３２内に挿入し、且つ、挿通部２４の背面部２４ａを配置固定部３１の背面側に沿って配置する構成としている。
つまり、略Ｌ字状の部分が、配置固定部３１に沿って配置されることになる。したがって、挿通部２４と配置固定部３１との接触面積が大きくなるので、この接続部分に「ガタツキ」が生じにくい構成となっている。したがって、使用に際し、ウェットティシュ容器１０の「ガタツキ」も生じにくい使い易い構成となっている。
【００３５】
次に、図２及び図５に示すように、配置固定部３１には、その下方に抜け止め凸部３３が形成されている。この抜け止め凸部３３は、図１に示すように、取付部材付きウェットティシュ容器１０を、トイレットペーパーホルダ２に装着してウェットティシュ片１１ａを取り出す際に、容易にトイレットペーパーホルダ２から抜け出さないようにするためのものである。具体的には、図５に示すようにトイレットペーパーホルダ２側に先端が突出した返しとされた、一種の板バネ形状を成している。
【００３６】
また、配置固定部３１の上部であってウェットティシュ容器１０の背面側には、図２及び図５に示すように、上述の個別シール台紙１５を配置するためのシート保持部３４が形成されている。したがって、乳幼児がトイレトレーニングをする際の上述のシールをトイレに一緒に置いて、使用する際にも取り出し易くすることができる構成となっている。
このシート保持部３４が、物品を保持可能な物品保持部の一例となっている。
【００３７】
また、本実施の形態では、図１に示すように、トイレットペーパーホルダ２上に、取付部材２０を配置したときに、全体が略Ｕ字状の容器保持部２１の載置部２２の底面側が、トイレットペーパーホルダ２上に確実に配置される構成となっている。
すなわち、特にウェットティシュ容器１０の長手方向の両端部側の載置部２２が、図２に示すように他の部分より広く形成されているので、容器保持部２１がより安定的にトイレットペーパーホルダ２上に配置されることになり、これも、ウェットティシュ容器１０の「ガタツキ」の発生を抑える働きをしている。
【００３８】
なお、本実施の形態における取付部材２０は、ウェットティシュ容器配置具の一例ともなっている。
【００３９】
ところで、図４は、取付部材付きウェットティシュ容器１０の流通状態を示している。流通段階では、ウェットティシュ容器１０の底面側に容器保持部２１と配置固定部３１をランナ４０で簡易接続した状態のまま一体としている。したがって、流通段階での全体の容積を減らすことができると共に、製造時の製造コストを低減させることができる。
【００４０】
（第２の実施の形態）
図６は、第２の実施の形態に係る取付部材付きウェットティシュ容器の要部である取付部材１２０を示す概略斜視図である。本実施の形態にかかる取付部材１２０の構成の多くは、上述の第１の実施の形態にかかる取付部材２０と共通しているため、共通している構成は同一符号等として説明を省略し、以下、相違点を中心に説明する。
先ず、本実施の形態に係る容器保持部１２１は、第１の実施の形態の容器保持部２１と異なり、ウェットティシュ容器１０をその全周で保持するため、連接した１周を成している。このため、全周にわたり、載置部１２２が形成されると共に、壁面部１２３も全周にわたり形成されている。
したがって、容器保持部１２１にウェットティシュ容器１０を載置した場合、容器保持部１２１は、ウェットティシュ容器１０をその全周で保持することができ、より確実にウェットティシュ容器１０を保持することができ、ウェットティシュ容器１０の上述の「ガタツキ」をより抑えることができる構成となっている。
【００４１】
また、本実施の形態では、抜け止め凸部１３３が３箇所、形成され、１箇所と他の２箇所は相互の反対方向に向かって突出するように形成されている。したがって、このような抜け止め凸部１３３を有する配置固定部１３１を、図１のトイレットペーパーホルダ２に装着した際に、配置固定部１３１がトイレットペーパーホルダ２から抜けに難くなるので、より安定して取り出すことができる。
【００４２】
また、本実施の形態では、容器保持部１２１の壁面部１２３の上端側であって、壁面凸部２３ａの反対側には、例えば２箇所、それぞれ対向するように解除つまみ１３５が外方に突出して形成されている。
したがって、取付部材１２０の利用者がウェットティシュ容器１０を容器保持部１２１から取り外すため、第１の実施の形態に示すように容器保持部１２１を撓ませる場合、変形させ易い構成となっている。すなわち、利用者が解除つまみ１３５を保持し、容器保持部１２１を矢印Ｒ１方向（図６）に撓ませることで容易に、ウェットティシュ容器１０を着脱させることができる構成となっている。
【００４３】
（第３の実施の形態）
図７は、第３の実施の形態に係る取付部材付きウェットティシュ容器を示す概略斜視図である。また、図８（ａ）は、図７の取付部材２２０の展開状態を示す概略図であり、図８（ｂ）は、図７の取付部材２２０を示す概略図である。本実施の形態に係る取付部材２０の構成の多くは、上述の第１又は第２の実施の形態にかかる取付部材２０、１２０と共通しているため、共通している構成は同一符号等として説明を省略し、以下、相違点を中心に説明する。
【００４４】
本実施の形態の取付部材２２０は、上述の第１及び第２の実施の形態の取付部材２０、１２０と異なり、容器保持部２２１と配置固定部２３１が一体に形成されている。そして、図８（ａ）に示すように、取付部材２２０には、例えば、２箇所に脆弱部２３６、２３６が形成されているため、本実施の形態では、取付部材２２０を、図８（ａ）の展開状態から図８（ｂ）のウェットティシュ容器１０の装着状態にヒンジ状に変形でき、また、逆に、装着状態から展開状態に変形することもできる構成となっている。
したがって、本実施の形態では、上述の第１及び第２の実施の形態と異なり、取付部材２２０が一体となっているので、利用者が図７の使用状態（ウェットティシュ容器１０装着状態）へ組み立て易い構成となっている。
また、取付部材２２０が一体となって、さらに、図８（ｂ）の状態から配置固定部３１側に折り畳めるので、流通課程においても取り扱い易い構成となっている。
【００４５】
なお、取付部材２２０には、第１の実施の形態の載置部２２に対応する載置部２２２が壁面部２２３から内方に突出するように形成されると共に、上方に突出するように突出部２２２ａ（第１の実施の形態の突出部２２ａに相当）も形成されている。
また、第１の実施の形態では、載置部２２の下側が図１に示すようにトイレットペーパーホルダ２上に安定して配置される部分となっていたが、本実施の形態では、載置部２２２の下側に安定部２３７が２箇所、形成され、この安定部２３７が図７のトイレットペーパーホルダ２上に配置されることで、取付部材２２０を安定的に配置することが可能な構成となっている。
さらに、取付部材２２０には、図１の壁面部２３や壁面凸部２３ａに対応する壁面部２２３及び壁面凸部２２３ａも形成されている。
【００４６】
（第４の実施の形態）
図９（ａ）は、第４の実施の形態に係る取付部材付きウェットティシュ容器の取付部材３２０を示す概略斜視図である。本実施の形態に係る取付部材３２０の構成の多くは、上述の第１の実施の形態等と同様であるため、同様の構成は同一符号等として説明を省略し、以下、相違点を中心に説明する。
本実施の形態の取付部材３２０は、図７の第３の実施の形態と同様に、容器保持部３２１と配置固定部３３１は一体的と成っているが、第３の実施の形態と異なり、装着状態（使用状態）のままで固定され、展開状態とは成らない構成となっている。
また、配置固定部３３１は、容器保持部３２１に対して２個形成され、これらは略９０度の角度を持って配置されている。そして、それぞれの配置固定部３３１には、図２と同様の抜け止め凸部３３がそれぞれ形成されている。
このため、図９（ａ）に示すように容器保持部３２１にウェットティシュ容器１０を装着し、同図のように、ウェットティシュ容器１０を縦長に配置して使用することができるだけでなく、図９（ａ）の他方の配置固定部３３１（左側）をトイレットペーパーホルダ２に装着すると、ウェットティシュ容器１０を横長に配置して使用することができる。
つまり、ウェットティシュ容器１０を、取出口が前面に配置された状態で、トイレの状況に応じてその使用者が使い易い向きに配置することができる。
【００４７】
また、本実施の形態では、図９（ａ）に示すように、抜け止め凸部３３にフック３３８を介して人形３３９等を配置することができるので、玩具等を使って乳幼児のトイレトレーニングに際し、乳幼児がトイレトレーニングをし易い環境を作り出すことができる。
【００４８】
図９（ｂ）は、図９（ａ）の取付部材３２０からウェットティシュ容器１０を取り外した状態を示す概略斜視図である。図９（ｂ）に示すように、図２の載置部２２に相当する載置部３２２上には、図２の突出部２２ａに相当する突出部３２２ａが配置されている。また、図２の壁面部２３に相当する壁面部３２３の上端部には、壁面凸部３２３ａが形成され、この壁面凸部３２３ａがウェットティシュ容器１０の上端側を保持をしているので、他の実施形態と同様にウェットティシュ容器１０を保持できる構成となっている。
【００４９】
（第５の実施の形態）
図１０（ａ）（ｂ）は、第５の実施の形態に係る取付部材付きウェットティシュ容器の取付部材４２０を示す概略斜視図である。本実施の形態に係る取付部材４２０の構成の多くは、上述の第１の実施の形態等と同様であるため、同様の構成は同一符号等として説明を省略し、以下、相違点を中心に説明する。
本実施の形態の取付部材４２０を用いれば、図１０（ｂ）に示すように、ウェットティシュ容器１０をトイレットペーパーホルダ２の横側（側面側）に配置することができるので、トイレットペーパーホルダ４２０の上側にウェットティシュ容器１０を配置するスペースがない場合に有効となる。
なお、本実施の形態の取付部材４２０は、図１０（ａ）に示すように、容器保持部４２１と配置固定部４３１は一体となっており、配置固定部４３１には、抜け止め凸部３３と折り曲げ部４３６が形成されている。このため、パーツのコンパクト化が可能となり、流通状態における収納スペースを小さくすることができる。
また、本実施の形態でも、上述の第１の実施の形態等と同様に、載置部４２２、突出部４２２ａ、壁面部４２３及び壁面凸部４２３ａが形成され、ウェットティシュ容器１０を確実に保持する構成となっている。
【００５０】
（第６の実施の形態）
図１１は、第６の実施の形態に係る取付部材５２０を示す概略図である。本実施の形態に係る取付部材５２０の構成の多くは、上述の第１の実施の形態等と同様であるため、同様の構成は同一符号等として説明を省略し、以下、相違点を中心に説明する。
本実施の形態の取付部材５２０は、上述の実施の形態と異なり、配置固定部が両面テープ５３１ａ及びネジ穴５３１ｂ、そして、図示しないネジと成っている点が異なり、トイレットペーパーホルダではなく、様々な場所に固定できる構成とされている。
一方、取付部材５２０の載置部５２２には、突出部５２２ａ、壁面部５２３及び壁面凸部５２３ａが形成され、ウェットティシュ容器１０を保持する構成となっている点は上述の実施の形態と同様である。
【００５１】
（第７の実施の形態）
図１２は、第７の実施の形態に係る取付部材６２０を示す概略図である。本実施の形態に係る取付部材６２０の構成の多くは、上述の第５の実施の形態等と同様であるため、同様の構成は同一符号等として説明を省略し、以下、相違点を中心に説明する。
本実施の形態では、図１１の取付部材５２０と異なり、皿部６２９が設けられている。したがって、乳幼児等がトイレトレーニングを行う際に、トレーニングを楽しくするためのおもちゃ等を、この皿部６２９内に置いておき、スムーズにトイレトレーニングを行うことを可能とすることができる。
【００５２】
本発明は、上述の各実施の形態に限定されない。例えばトイレットペーパーホルダ２の下側に容器保持部２１やウェットティシュ容器１０が配置されるように、配置固定部３１をトイレットペーパーホルダ２に吊り下げられるように構成しても良い。また、上記実施形態の各構成は、その一部を省略し、または、任意に組み合わせることができる
【図面の簡単な説明】
【００５３】
【図１】本発明である配置具付きウェットティシュ容器の第１の実施の形態である例えば取付部材付きウェットティシュ容器が、トイレットペーパーホルダに装着されている状態を示す概略斜視図である。
【図２】図１の取付部材付きウェットティシュ容器の概略分解斜視図である。
【図３】シールの表面の図柄等の一例を示したのが図である。
【図４】取付部材付きウェットティシュ容器の流通状態を示す概略図である
【図５】ウェットティシュ容器と取付部材との係合状態を示す概略図である。
【図６】第２の実施の形態に係る取付部材付きウェットティシュ容器の要部である取付部材を示す概略斜視図である。
【図７】第３の実施の形態に係る取付部材付きウェットティシュ容器を示す概略斜視図である。
【図８】（ａ）は、図７の取付部材の展開状態を示す概略図であり、（ｂ）は、図７の取付部材を示す概略図である。
【図９】（ａ）は、第４の実施の形態に係る取付部材付きウェットティシュ容器の取付部材を示す概略斜視図であり、（ｂ）は、（ａ）の取付部材からウェットティシュ容器を取り外した状態を示す概略斜視図である。
【図１０】第５の実施の形態に係る取付部材付きウェットティシュ容器の取付部材を示す概略斜視図である。
【図１１】第６の実施の形態に係る取付部材を示す概略図である。
【図１２】第７の実施の形態に係る取付部材を示す概略図である。
【符号の説明】
【００５４】
１・・・取付部材付きウェットティシュ容器、２・・・トイレットペーパーホルダ、１０・・・ウェットティシュ容器、１１・・・ウェットティシュ包装袋、１６・・・容器側面凹部、１７・・・容器底面凹部、１８・・・周縁部、２０・・・取付部材、２１・・・容器保持部、２２・・・載置部、２２ａ・・・突出部、２３・・・壁面部、２３ａ・・・壁面凸部、２４・・・挿通部、２４ａ・・・背面部、２４ｂ・・・基端部、３１・・・配置固定部、３２・・・挿入孔、３３・・・抜け止め凸部
【図１】
2008094422.tif 000003
【図２】
2008094422.tif 000004
【図３】
2008094422.tif 000005
【図４】
2008094422.tif 000006
【図５】
2008094422.tif 000007
【図６】
2008094422.tif 000008
【図７】
2008094422.tif 000009
【図８】
2008094422.tif 000010
【図９】
2008094422.tif 000011
【図１０】
2008094422.tif 000012
【図１１】
2008094422.tif 000013
【図１２】
2008094422.tif 000014